(57)【要約】【課題】融固化体を、容器壁面との間隙がごく僅かな収納容器内に、遠隔操作で収納する手段を提供する。【解決手段】吊手８が設けられたフランジ１の周囲から、下部が曲げ可能な多数の等長の縦索２を吊り下げ、この縦索の下端に止め具３を取り付け、この止め具問を引綱５で環状に結んで、引綱の引手部分を巻上機６で巻き上げるように構成し、前記縦索を溶融固化体７の周囲に垂れ下げ、巻上機により引綱の環状部分を引き絞ることにより、溶融固化体を吊り下げる溶融固化体吊下装置。また、縦索下端の止め具間を環状に繋ぐばね４を配し、引綱５を弛めたときに、ばねの弾性力により環状部分の径が拡がるように構成する。さらに、このばねとしてコイルばねを用い、このコイルばねの内部に引綱を環状に挿通する。【選択図】  図１
2004333424.tif 000002
【特許請求の範囲】
【請求項１】
吊手が設けられたフランジと、該フランジの周方向にほぼ等間隔に吊り下げられ少なくともその下部を内側に曲げることができる複数の等長の縦索と、該縦索のそれぞれの下端を繋いで円環状に引き絞る引綱と、該引綱を引いたり緩めたりする駆動装置を備えて、溶融固化体の周囲に前記縦索を垂れ降ろして縦索の先端を円環状に引き絞り該溶融固化体を支持して吊り上げるようにした溶融固化体吊下装置。
【請求項２】
吊手が設けられたフランジと、該フランジの周方向にほぼ等間隔に吊り下げられ少なくともその下部を内側に曲げることができる複数の等長の縦索と、該縦索のそれぞれの下端に取り付けられた止め具と、該止め具に係止された引綱でその先端部に前記縦索の先端を環状に繋ぐ環状部分を形成し該環状部分の径を拡大・縮小せしめる引手部分を有する引綱と、該引綱の引手部分を上下動させる巻上機を備え、前記縦索を吊下げ対象物である溶融固化体の周囲に垂れ下げ、前記巻上機により前記引綱の引手部分を引き上げて、その環状部分を引き絞ることにより、前記溶融固化体を吊下げ可能にすることを特徴とする溶融固化体吊下装置。
【請求項３】
前記止め具を環状に繋ぐばねを配し、前記引綱を弛めたときに、前記ばねの弾性力により前記縦索の環状部分の径が拡がるようにしたことを特徴とする請求項２記載の溶融固化体吊下装置。
【請求項４】
前記ばねとして、その内径が前記引綱の径より大きいコイルばねを用い、該コイルばねの内部に前記引綱を環状に挿通してなることを特徴とする請求項３記載の溶融固化体吊下装置。
【請求項５】
前記縦索の中間において、隣接する縦索相互を環状に連結する横索を配したことを特徴とする請求項２から４のいずれかに記載の溶融固化体吊下装置。
【請求項６】
前記溶融固化体がキャニスタ内で溶融固化された低レベル放射性廃棄物であって、これをドラム缶に収納するのに用いられることを特徴とする請求項１から５のいずれかに記載の溶融固化体吊下装置。
【発明の詳細な説明】
【０００１】
【発明の属する技術分野】
本発明は、吊下げ対象の重量物を遠隔操作で吊り下げる吊下装置に関し、とくに低レベル放射性廃棄物の溶融固化体をドラム缶に収納するのに適した溶融固化体吊下装置に関する。
【０００２】
【従来の技術】
原子力発電所や放射性物質取扱施設などで発生する放射能レベルの低い各種の固体廃棄物は、高周波溶解炉で溶解・固化させて減容した上、ドラム缶に詰めて埋設処分される。通常は、キャニスタと呼ばれるセラミックス製の柑堝型容器内で溶解し、そのまま固化させた溶融固化体を２００リットルのドラム缶に収納し、溶融固化体とドラム缶との間隙にモルタルを充填して、所定の処分場所（例えば地下埋設設備）に埋設される。その際に、ドラム缶等の資材の利用効率を高めるという要請及び埋設場所の空間の利用効率を高めるという要請から、溶融固化体とドラム缶との間隙をできるだけ小さく、例えば１０ｍｍ程度以下にすることが強く望まれている。
【０００３】
通常、重量の大きな物体をドラム缶に収納するには、ワイヤロープやナイロンスリングで玉掛けして、クレーン等でドラム缶内に吊り下ろすような方法がとられる。しかし、ドラム缶内で玉掛けを解除するには、物体とドラム缶との間に数１０ｍｍの間隙が必要である。また、昇降可能なチャック機構で物体の胴部を把持して、ドラム缶内に収納する方法もあるが、物体とドラム缶との間にチャックの先端を挿入せねばならず、やはり大きな間隙が必要である。したがって、溶融固化体を上記の方法で処理することはできない。
また、溶融固化体は、強度や形状の点からフックや真空吸着機などを用いてキャニスタ上部を把持して支持することは困難である。さらに、溶融固化体を容器に収納する作業は、放射性物質を扱うため隔離された部屋で遠隔操作により行うので、できるだけ単純な作業で組み立てられることが要請される。
【０００４】
特許文献１には、上記の問題を解決するために、あらかじめ溶融固化体の天地を逆さまにして置き、上部からドラム缶を被せた後、溶融固化体をドラム缶ごと反転させる円柱体のドラム缶収容方法が提案されている。また、特許文献２には、傾斜させたドラム缶の入口部に傾斜ガイドを挿入し、このガイドに溶融固化体を載置し、これをガイドとともに又はその上をスライドさせてドラム缶内に収納する円柱体のドラム詰め方法及び装置が提案されている。
しかし、これらの方法は装置が複雑で大きくなり、設備コストが高くなるという問題がある。
【０００５】
【特許文献１】
特開平８−２４８１９３号公報
【特許文献２】
特開平１１−２７１４９６号公報
【０００６】
【発明が解決しようとする課題】
そこで本発明は、大がかりな設備を用いることなく簡単な機構によって、吊下げ対象の重量物とくに放射性廃棄物の溶融固化体を、容器壁面との間隙がごく僅かな収納容器内に、遠隔操作で収納し得る手段を提供することを目的とする。
【０００７】
【課題を解決するための手段】
上記課題を解決するため、本発明の溶融固化体吊下装置は、吊手が設けられたフランジと、フランジの周方向にほぼ等間隔に吊り下げられ少なくともその下部を内側に曲げることができる榎数の等長の縦索と、それら縦索のそれぞれの下端を繋いで円環状に引き絞る引綱と、この引綱を引いたり緩めたりする駆動装置を備えて、溶融固化体の周囲に縦索を垂れ降ろして縦索の先端を円環状に引き絞り溶融固化体を支持して吊り上げるようにしたことを特徴とする。
【０００８】
また、本発明の溶融固化体吊下装置は、さらに、縦索の下端を繋いで円環状に引き絞る引綱を支持する止め具をそれぞれの縦索下端に備える。この引綱は止め具を順次連絡して環状部分を形成し、さらに環状部分の径を拡大縮小するための引手部分を形成する。引手部分は巻上機が繋げられていて、環状部分の径を広げて縦索を吊下げ対象物である溶融固化体の周囲に垂れ下げ、巻上機により引綱の引手部分を引き上げて、その環状部分を引き絞って溶融固化体を底から支持して吊下げ可能にすることを特徴とする。
【０００９】
上記の構成によれば、縦索とその下端を環状に引き絞る引綱が吊り具となり、巻上機による引綱の引手部分の上下動のみによって、溶融固化体を吊下げ可能な状態にしたり、引綱の環状部分を弛めて吊下げ状態の解除を行うことができる。したがって、本装置の下部、すなわち縦索、その先端の止め具及び引綱が、溶融固化体と収納容器との間隙に入りさえすれば、溶融固化体を容器底部に静置した後、本装置を引き上げることができ、この間隙が１０ｍｍ程度以下であっても遠隔操作で容易に収納することができる。
【００１０】
また、本発明の装置は、止め具を環状に繋ぐばねを備え、引綱を弛めたときに、このばねの弾性力により縦索の間隔が開き環状部分の径を広げるように構成したものであってもよい。この構成によれば、引綱を弛めた時に、ばねの弾性力で引綱の環状部分が確実に押し拡げられるため、縦索をほぼ垂直に垂下させることが容易になる。したがって、縦索を溶融固化体の周囲に垂れ下げる時や縦索を収納容器から引き上げる時に、縦索及びその先端の止め具が溶融固化体または容器内壁と接触するのを防止することができ、本装置をスムーズに昇降させることが可能になる。
【００１１】
この装置は、上記のばねとして、その内径が引綱の径より大きいコイルばねを用い、該コイルばねの内部に引綱を環状に挿通してなるものであってもよい。この構成によれば、ばねと引綱が一つにまとめられ、縦索先端の止め具も小型になるため、本装置を溶融固化体に被せる時及び収納容器から引き上げる時に、下部の止め具等が溶融固化体又は容器内壁と接触しにくくなり、本装置をよりスムーズに昇降させることが可能になる。
【００１２】
さらに、本発明の装置は、縦索の中間に、隣接する縦索相互を環状に連結する横索を配したものであってもよい。この横索は、縦索を溶融固化体の周囲に吊り下ろす時に、縦索が振れたり振れたりするのを防止するのに有用である。
本発明の装置は、キャニスタ内で溶融固化された低レベル放射性廃棄物の溶融固化体をドラム缶内に収納するのに、好適に用いることができる。
なお、縦索は強度さえあれば材質を選ばず、形状も棒状の索、帯状の板、鎖など各種のものが利用できる。また筒状に編んだ金属やプラスチックなどの網であってもよい。
【００１３】
【発明の実施の形態】
以下実施例を用いて本発明を詳細に説明する。
図１は、本発明の１実施例である溶融固化体吊下装置の正面図で、溶融固化体を吊り下げた状態を示す。この装置は、フランジ１、多数の縦索２、その下端の止め具３、環状のばね４、引綱５及び巻上機６等から構成され、縦索２を吊下げ対象物である溶融固化体７の周囲に垂れ下げ、その下端を引綱５で引き絞って、図示していないクレーン等により溶融固化体７の吊上げ、吊下しを行うものである。
【００１４】
フランジ１は円板状で、クレーン等により吊り下げる吊手８が設けられている。本実施例では、このフランジ１の外周付近から、その周方向に等間隔に８本の等長の縦索２が吊り下げられている。縦索はロープ状であるが、これが帯状であっても差し支えない。縦索２は溶融固化体の重量を複数で支えるので所定の強度を有していればよく、ワイヤロープの他、麻ロープ、ビニロンロープ、ナイロンロープ等の繊維ロープであってもよい。また、帯状のナイロンスリングやチェーン等であってもよい。ドラム缶などの収納容器の内壁と溶融固化体の外壁の間隙が小さい場合には、薄い帯索を用いることができる。
【００１５】
縦索２は、互いの先端を円形に繋いで絞り込み溶融固化体が落ちないようにするので、少なくともその下部が曲げ可能である必要があるが、全長に亘って曲げ可能でも良く、あるいは下部の先端のみが曲げ可能であってもよい。したがって、縦索２に２種の材料を用い、上部に剛性材料を下部に可撓性（曲げ可能な）材料を用いて、両者を接合して構成してもよい。溶融固化体７とこれを収納する容器との間隙をなるべく狭くするという目的から、縦索２の太さ又は厚みはなるべく小さくすることが望ましい。多数の縦索で吊下げ対象物の重量を支えるため、縦索２の太さ又は厚みを１０ｍｍ以下にすることができる。なお、縦索の太さや厚みをさらに小さくしたければ、縦索の数を増やせばよい。
【００１６】
縦索２の下端には、止め具３がそれぞれ取り付けられている。本実施例では、角形の金属性の止め具３を用い、銅製のワイヤーロープからなる縦索２の下端に接合している。また、縦索２の中間に、それぞれの縦索２を横方向に環状に繋ぐ模索９が接合されており、この横索９は、縦索２の間隔を一定に保つ機能を有し、本装置を溶融固化体７に被せるときに、縦索２が振れたり、捩れたりするのを防止するのに有用である。
【００１７】
止め具３の側面を繋ぐようにばね４が取り付けられていて、このばね４は、引綱５を弛めた時に縦索２を押し拡げ、縦索をほぼ垂直に垂下させる機能を有する。止め具３には、外側に開口する切欠き溝１０が設けられ、この切欠き溝１０内に引綱５を俵め込んで引綱が緩んでも外れないように係止している。なお、前記と同じく溶融固化体と容器の間隙を狭くするという目的から、止め具３の厚み（半径方向の寸法）、ばね４の径や構索９の太さも、縦索２の太さと同程度又はそれ以下にすることが好ましい。
【００１８】
引綱５は、止め具３によって縦索２を環状に繋ぎ輪止め用の係止部材１１によつて環状部分を形成し、係止部材１１から引手部分が上方に延びて巻上機６で巻き上げられるようになっている。引綱５の環状部分は、縦索２に直角な方向に移動可能に止め具３に係止され、引綱５の引手部分を引いたり緩めたりして、その環状部分の径（縦索２の下端を横方向に繋ぐ輪の径）を拡大・縮小するようになつている。なお、輪止め用の係止部材１１の側面にも、ばね４が取り付けられていて、ばね４は全周に亘って環状になっている。
【００１９】
巻上機６は、正逆回転可能なモーター１２と引綱を巻き込むドラム１３からなり、溶融固化体７を吊り下げる時には、引綱５の引手部分を引き込んで引綱の環状部分の径を絞り、溶融固化体が引綱５端末の穴から落ちないようにして、吊手８で吊り上げる。このとき、複数の引綱５の張力で溶融固化体７の荷重を支持する。引綱５は、溶融固化体７を吊り下げた時に、環状部分にかかる張力に耐える強度を有することが必要で、本実施例ではワイヤーロープを用いているが、ナイロンロープ等であってもよい。
【００２０】
図２は、本装置に用いられるばねの種類を示す概念図である。本実施例では、図２（ａ）に示すようなコイルばねを用いているが、図２（ｂ）に示すような帯板状の板ばねであってもよく、あるいは図２（ｃ）に示すような波形の板ばねであってもよい。コイルばねや波形板ばねでは、ばねのピッチの伸縮でばねの長さが変わるため、引綱５を引き絞ってもばねが外側に張り出すことはない。帯板バネの場合は、引綱５を引き絞るとばねが外側に撓むことになるが、溶融固化体７の下端部は丸みを帯びた形状で、円筒容器との間に空間があるため、帯板ばねが擦んで外側に張り出しても、とくに問題になることはない。ばねの材質はとくに限定を要しないが、通常は高弾性金属が用いられ、コイルばねの径や波形板ばねの波高又は幅は１０ｍｍ以下のものを用いることが望ましい。
【００２１】
図３は、本装置に用いられる引綱の輪止め用係止部材の形状の例を示す概念図である。図３（ａ）の例では、係止部材１１の一方の側面に接続端子１４が設けられ、他方の側面から上方に抜ける貫通孔１５が設けられている。引綱５は、ドラムから引手部分として引き出されて、係止部材１１の上面の貫通孔１５から側面に通され、縦索下端の止め具に順次係止されて一巡して環状部分を形成し、その先端が係止部材１１の側面の接続端子１４に接合されて固定される。
【００２２】
図３（ｂ）の例では、止め具の内の１個を輪止め用係止部材を兼ねた止め具としたものである。すなわち、特定の縦索２の下端に取り付けられた止め具３が輪止めと兼用されるもので、止め具３の一方の側面には接続用フック１６が設けられ、これと反対側の側面から外側の面に抜ける貫通孔１５が設けられている。引綱５の先端にはリング１７が取り付けられ、これが接続用フック１６に係止されている。
引綱５は接続用フック１６から貫通孔１５までの環状部分を形成し、貫通孔１５のフックと反対側の孔から外側の孔に抜けて引手部分を形成している。リング１７は貫通孔１５を通らないので、ドラムに固定する端部の方から貫通孔１５に通すようにする。なお、引綱で環状部分を形成した後に引綱５をリング１７に固定し接続用フック１６に掛けるようにしてもよい。
【００２３】
引綱５の引手部分は、縦索２に沿ってその外側を上方に延び、巻上機で上下動される。したがって、引綱５が溶融固化体の表面に接触しないため、引綱５の上下動で溶融固化体を痛めることがない。
なお、図３（ａ）及び（ｂ）のいずれの場合も、係止部材１１又は止め具３の両側面にばね４が接合されさらに全周を環状に繋いでいるので、引綱５を緩めたときに縦索２の先端が外側に広がって溶融固化体の周囲を上下に移動することができる。
【００２４】
図４は、本実施例の別態様である溶融固化体吊下装置の図で、図４（ａ）は全体の正面図、図４（ｂ）は図４（ａ）のＡ部の拡大図である。この装置も、フランジ１の形状、縦索２や横索９の配置や巻上機６の構成等は、図１の装置と同様である。しかし、この装置は、コイルばね４の内部に引綱５を引き回している点が図１の装置と相違する。すなわち、図４（ｂ）に見られるように、縦索２の先端の止め具３の両側面にコイルばね４が接合されているが、このばね４の位置で、止め具３に貫通孔１５が形成され、バネ４の中を通る引綱５が貫通孔１５にも通されている。引綱５には、図３（ａ）に示したような係止部材１１により環状部分が形成され、引手部分が上方に引き出されて、巻上機６に接続されている。
【００２５】
このような構成では、ばね４と引綱５が一つにまとまっているので引綱の緊張と緩和に忠実に応答して縦索２の末端に形成される環状部分は確実に開閉し、また止め具３も小型になるため、本装置を溶融固化体に被せる時に、下部の止め具等が溶融固化体に接触ししにくくなり、本装置をよりスムーズに昇降させることが可能になる。
【００２６】
図５は、本実施例のさらに別の態様である溶融固化体吊下装置の正面図である。この装置も、フランジ１の形状、縦索２の配置、止め具３の形状、引綱５や巻上機６の構成等は、図１の装置と同様である。しかし、この装置は、縦索２の構造が異なる点とばねの代わりに重力を用いる点が、図１の装置と相違する。
縦索２の上部には、剛性材料例えば銅製の丸棒や帯板が用いられ、その下側に曲げ可能な材料としてチェーン２’が接続されている。チェーン２’の下端には止め具３が接続されているが、本装置では止め具間を連結するばねは配されていない。引綱５は、図１の装置と同様に、縦索２に直角な方向に移動可能に止め具３に係止され、一巡して環状部分を形成した後、係止部材１１により引手部分が上方に引き出されている。巻上機６により、引綱５の引手部分を上下動させて、その環状部分の径を拡大・縮小させるように構成されている点も、図１の装置と同様である。
【００２７】
図５の構成によれば、チェーンおよび止め具の自重により、縦索２とチェーン２’は垂直に垂下する。したがって、引綱５を引き絞っていない状態では、格別な手段例えばばねの弾性力等により縦索２の間隔を押し拡げなくとも、縦索２の下端は十分に開いた状態になり、これを溶融固化体の周囲に引き下ろすことに特に支障は生じない。なお、図５の装置では、チェーンとしてリンクチェーンを用いているが、これがローラチェーンであっても差し支えない。また、必ずしもチェーンに限定する必要は無く、曲げ可能であり、かつ自重又は止め具の重量で垂直に垂下する材料であればよい。また、少なくとも縦索２の下部が曲げ可能であればよく、縦索２の全長に亘ってチェーン等の曲げ可能な材料を用いてもよい。
【００２８】
図６は、本実施例の装置を利用して溶融固化体を円筒容器に収納する作業手順の説明図である。まず、図６（ａ）に示すように、本装置をクレーン等（図示していない）で吊り下ろし、縦索２を溶融固化体７の周囲に垂れ下げる。この際引綱５を弛めておけば、ばね４の弾性力により縦索２の間隔が開き、ほぼ垂直に垂下した状態になる（過剰に開かないように引綱５の引張り量を調整してもよい）ので、支障無く本装置を吊り下ろすことができる。なお、後述するように、溶融固化体７は、適当な径の置台１８の上に載置しておくことが好ましい。
【００２９】
縦索２の下端が溶融固化体７の底面より下に位置するまで吊り下ろした後、図６（ｂ）に示すように、巻上機６で引綱５を引いて、ばね４（および引綱５）の環状部分の径を溶融固化体の径より小さくし、引綱５に張力がかかった状態で保定すれば、縦索２の下端が引き絞られて環状になる。したがって、この状態でクレーン等で吊り上げると環状に繋がった縦索２の末端部が溶融固化体７の底に当たつて、溶融固化体を持ち上げることができる。さらに吊り上げて溶融固化体を浮かせて、この状態で収納容器であるドラム缶の位置まで運搬すればよい。
【００３０】
ついで、図６（ｃ）に示すように、溶融固化体７がドラム缶１９の底に着くまで吊り下ろした後、図６（ｄ）に示すように、引綱５を弛めて、ばね４の弾性力により縦索２の下端の間隔を開かせ、本装置を吊り上げれば、溶融固化体７が取り残されてドラム缶１９内に収納された状態になる。この際、縦索２及びその下端の止め具３は、溶融固化体７の底の湾曲部に沿って動くから、本装置を容易に引き上げることができる。
【００３１】
本装置の吊下げ対象物である溶融固化体７は、所定の形状の容器（キャニスタ）内で放射性廃棄物を溶解・固化させたもので、円筒状の胴部の下部全周に一定曲率の湾曲部が形成されている。２００リットルのドラム缶に収納する場合のキャニスタは、例えば、胴部外径が約５５０ｍｍで、底部全周に９０Ｒの湾曲部が形成され、底面中央の径約３７０ｍｍ程度の部分は平面になっている。
したがって、図６（ｂ）に示したように、縦索２の下端を引き絞る場合には、止め具３がこの湾曲部に位置するようにすることが好ましい。この状態であれば、溶融固化体７をドラム缶１９内に吊り下ろした時に、その底が先に着地するので、溶融固化体７を床面に置いて引綱５を弛めたときに落下の衝撃が生じることはない。また、引綱５を緩めたときに止め具３が溶融固化体と床面に制約されないで自由に動くので、簡単に溶融固化体を容器に収納することができる。
【００３２】
止め具３を溶融固化体の湾曲部に正しく位置させるために、図６（ａ）に示すように、置台１８を用いることが好ましい。置台１８の径を、溶融固化体７の底面の平坦部の径（３７０ｍｍ程度）と同程度又はこれよりやや大きくしておけば、引綱５を引き絞った時に止め具３がこの置台１８に当たるから、この状態で引綱を固定して吊り上げれば良い。
なお、容器の底に図６（ｂ）の置台１８と同様の置台を仕込んでおいて、この上に溶融固化体を載置するようにしてもよい。
【００３３】
本発明の溶融固化体吊下装置は上記のように構成されているため、引綱の動作のみによって、縦索下端の環状部分の径の縮小と拡大を行うことができる。したがって、縦索、止め具やこれを繋ぐばね等が溶融固化体とドラム缶との間隙に入りさえすれば、溶融固化体を吊り下げたり、吊下げ状態を解除したりすることができる。縦索の本数を多くすれば、その１本にかかる荷重が小さくなり、縦索の径又は厚みを小さくすることができるから、縦索、止め具やこれを繋ぐばね等の径又は厚みを１０ｍｍ程度以下にすることにはさほどの困難さはなく、溶融固化体とドラム缶との間隙を１０ｍｍ程度以下にするという目標を十分達成する。
【００３４】
本発明の装置は構造が非常に簡単であり、前述の特許文献に提案されている方法のように、溶融固化体やドラム缶を転倒又は傾斜させるための大がかりな設備を必要としない。また、その作業もクレーンと引綱の遠隔操作による吊上げと吊下しのみであり、前述の特許文献の方法よりも作業工程が簡単である。
本発明の装置の吊下げ対象物と収納容器を、溶融固化体とドラム缶に限定する必要はなく、各種の円柱体をこれに適合する容器に収納するのに用いることができる。また、必ずしも吊下げ対象物が円柱体である必要はなく、その断面形状や表面状態に適した構造や材質の縦索、止め具、ばね等を用いることにより、様々な対象物の吊上げ、吊下しを行うことが可能である。
【００３５】
また、本発明の装置の、装置各部の構造、形状等は上記実施例のものに限られない。例えば、フランジ、止め具、ばね、引綱の係止部材等の形状は実施例のものに限定するを要しない。また、縦索や横索の材質、形状、配置、その吊下げ方法等も本実施例のものに限定するを要しない。縦索を全長に亘って同種の材料で形成する必要がないことは既に述べたとおりであるが、例えば、フランジの下側に縦索と横索を組み合わせた円筒形の籠状の構造体を取付け、その下側に多数の曲げ可能な縦索を吊り下げたような構造であってもよい。あるいは、縦索と横索が網状に形成されてるようなものであってもよい。さらに、巻上機は必ずしもモーターとドラムの組み合わせでなくともよい。引綱を所定距離上下動させかつ張力がかかった状態を保持できるものであれば良く、例えば油圧等の流体圧駆動のものでもよい。
【００３６】
また、縦索を溶融固化体の周りに沿って降ろし易くするために、縦索を吊り下げたフランジの周縁部を径方向に拡大縮小できるようにして、縦索を降ろすときには径を大きくしてもよい。
なお、溶融固化体を定位置に載置した後で縦索を緩めて吊下装置を吊り上げるときに、溶融固化体の底の周縁に形成した丸みを利用して装置の構成を簡約化しコストを削減するようにしてもよい。縦索の先端部を緩めて装置を引き上げれば、先端部を繋いだ円環の径が溶融固化体の丸み部でこじられて自然に拡がるので、バネの代わりにこの作用を利用することにより、装置が簡単になる。
【００３７】
【発明の効果】
本発明の溶融固化体吊下装置は、縦索とその先端を環状に引き絞る引綱で口をすぼめて溶融固化体を支持し吊り下げ吊り上げを行うため、容器壁面との間隙がごく僅かな収納容器を使うときにも遠隔操作で容易に溶融固化体を収納することができる。この装置の構成は簡単かつコンパクトであり、従来の方式に見られるような、溶融固化体や収納容器を転倒又は傾斜させるための大がかりな設備を必要としない。
【図面の簡単な説明】
【図１】本発明の実施例である溶融固化体吊下装置の正面図である。
【図２】本実施例の装置に用いられるばねの種類の例を示す概念図である。
【図３】本実施例の装置における輪止め用係止部材の形状の例を示す概念図である。
【図４】本実施例の別の態様である溶融固化体吊下装置の図である。
【図５】本実施例のさらに別の態様である溶融固化体吊下装置の正面図である。
【図６】本実施例の装置により溶融固化体を円筒容器に収納する作業手順の説明図である。
【符号の説明】
１  フランジ
２  縦索
２’  チェーン
３  止め具
４  ばね
５  引綱
６  巻上機
７  溶融固化体
８  吊手
９  横索
１０  切欠き溝
１１  係止部材
１２  モーター
１３  ドラム
１４  接続端子
１５  貫通孔
１６  接続用フック
１７  リング
１８  置台
１９  ドラム缶
【図１】
2004333424.tif 000003
【図２】
2004333424.tif 000004
【図３】
2004333424.tif 000005
【図４】
2004333424.tif 000006
【図５】
2004333424.tif 000007
【図６】
2004333424.tif 000008